(57)【要約】 【課題】  ランプアセンブリ、バックライトアセンブリ、これを有する表示装置及び表示装置用ランプ駆動方法が開示する。【解決手段】  ランプアセンブリは、放電によって発生した非可視光線を可視光線に変更させるランプ本体、ランプ本体に配置された第１及び第２電極を含むランプ、ランプ本体の内部で第１駆動電圧を第１電極に印加し、第２駆動電圧を第２電極に印加して放電を発生させるが、第１及び第２電極からコロナ放電が発生することを防止するために、第１駆動電圧は、第１臨界電圧以下を有するランプ駆動装置を含む。これにより、ランプアセンブリのうち、第１及び第２電極の周辺でコロナ放電によりオゾンが発生することを防止し、第１及び第２電極が損傷されることを防止する。【選択図】    図６
2005056853.tif 000002
【特許請求の範囲】
【請求項１】
放電によって発生した非可視光線を可視光線に変更させるランプ本体、前記ランプ本体に配置された第１及び第２電極を含むランプと、
前記ランプ本体の内部で第１駆動電圧を前記第１電極に印加して、第２駆動電圧を前記第２電極に印加して放電を発生させるが、前記第１及び第２電極からコロナ放電が発生することを防止するために、前記第１駆動電圧は第１臨界電圧以下を有するランプ駆動装置と、
を含むことを特徴とするランプアセンブリ。
【請求項２】
前記第２電極は接地され、前記第１臨界電圧は約１２００Ｖであることを特徴とする請求項１記載のランプアセンブリ。
【請求項３】
前記コロナ放電が発生しないように前記ランプの管電圧を第２臨界電圧未満に維持することを特徴とする請求項２記載のランプアセンブリ。
【請求項４】
前記第２臨界電圧は、約１０００Ｖであることを特徴とする請求項３記載のランプアセンブリ。
【請求項５】
前記第２駆動電圧は、前記第１駆動電圧を反転させたものであり、前記第１臨界電圧は約２４００Ｖであることを特徴とする請求項１記載のランプアセンブリ。
【請求項６】
前記コロナ放電が発生しないように、前記ランプの管電圧を第２臨界電圧未満に維持することを特徴とする請求項５記載のランプアセンブリ。
【請求項７】
前記第２臨界電圧は、約２０００Ｖであることを特徴とする請求項６記載のランプアセンブリ。
【請求項８】
放電によって発生した非可視光線を可視光線に変更させるランプ本体、前記ランプ本体に配置された第１及び第２電極を含むランプアセンブリと、
外部から提供される制御信号によって交流電圧の出力を制御する制御部、前記交流電圧を用いて前記第１及び第２電極の周辺にオゾンが発生することを防止するために、第１臨界電圧未満の第１駆動電圧を前記第１電極に提供し、第２駆動電圧を前記第２電極に提供するランプ駆動部を含むランプ駆動装置と、
前記ランプアセンブリから発生した光の光学特性を変更する光学部材と、
を含むことを特徴とするバックライトアセンブリ。
【請求項９】
前記ランプ駆動装置は、前記制御部から提供されるスイッチング信号に応答して、前記ランプ駆動部に供給される交流電圧の出力をオン／オフ制御するスイッチング素子を更に含むことを特徴とする請求項８記載のバックライトアセンブリ。
【請求項１０】
前記第２電極は接地され、前記第１臨界電圧は約１２００Ｖであることを特徴とする請求項８記載のバックライトアセンブリ。
【請求項１１】
前記コロナ放電が発生しないように、前記ランプの管電圧を第２臨界電圧未満に維持することを特徴とする請求項１０記載のバックライトアセンブリ。
【請求項１２】
前記第２臨界電圧は、約１０００Ｖであることを特徴とする請求項１１記載のバックライトアセンブリ。
【請求項１３】
前記ランプ駆動部は、前記交流電圧の提供を受ける第１巻線及び第２巻線と、前記第１巻線に対応して前記ランプアセンブリの両端に連結された第３巻線とを有する変圧器を含み、
前記第１駆動電圧は、前記第１巻線と第３巻線間の巻線比により生成されることを特徴とする請求項１０記載のバックライトアセンブリ。
【請求項１４】
前記第２駆動電圧は、前記第１駆動電圧を反転させたものであり、前記第１臨界電圧は約２４００Ｖであることを特徴とする請求項８記載のバックライトアセンブリ。
【請求項１５】
前記コロナ放電が発生しないように、前記ランプアセンブリの管電圧を第２臨界電圧未満に維持することを特徴とする請求項１４記載のバックライトアセンブリ。
【請求項１６】
前記第２臨界電圧は、約２０００Ｖであることを特徴とする請求項１５記載のバックライトアセンブリ。
【請求項１７】
前記ランプ駆動部は、交流電圧の提供を受ける第１巻線及び第２巻線と、前記第１巻線に対応して前記ランプアセンブリの他端に連結された第３巻線とを有する変圧器を具備し、
前記第１及び第２駆動電圧は、前記第１巻線と第３巻線間の巻線比により生成されることを特徴とする請求項１４記載のバックライトアセンブリ。
【請求項１８】
前記第１電極は、前記ランプ本体の第１端部に配置された外部電極であり、前記第２電極は、前記ランプ本体の第２端部に配置された内部電極であることを特徴とする請求項８記載のバックライトアセンブリ。
【請求項１９】
前記第１及び第２電極は、前記ランプ本体のそれぞれ第１端部及び第２端部に配置された外部電極であることを特徴とする請求項８記載のバックライトアセンブリ。
【請求項２０】
外部から入力される第１電源電圧を第２電源電圧に変換して出力するランプ駆動装置と、
一端が接地された複数個の管外電極蛍光ランプが並列連結されたランプユニットを含み、前記第２電源電圧に応答して光を発生する発光部と、
を含み、前記ランプ駆動装置は、
制御信号に基づいてスイッチング信号を出力する制御部、
前記スイッチング信号に応答して前記第１電源電圧の出力をオン／オフ制御するスイッチング素子、
前記スイッチング素子を経由する第３電源電圧を交流電圧に変換して、オゾンが発生する臨界電圧レベル未満に前記交流電圧を昇圧した第２電源電圧を前記ランプユニットに供給するランプ駆動部を含むことを特徴とするバックライトアセンブリ。
【請求項２１】
前記臨界電圧は、約１２００Ｖであることを特徴とする請求項２０記載のバックライトアセンブリ。
【請求項２２】
前記蛍光ランプの管電圧は、約１０００Ｖ未満に維持することを特徴とする請求項２１記載のバックライトアセンブリ。
【請求項２３】
外部から入力される第１電源電圧を変換して第２電源電圧に出力するランプ駆動装置と、
複数個の管外電極蛍光ランプが並列連結されたランプユニットで構成され、前記第２電源電圧に応答して光を発生する発光部と、
を含み、前記ランプ駆動装置は、
制御信号に基づいてスイッチング信号を出力する制御部、
前記スイッチング信号に応答して前記第１電源電圧の出力をオン／オフ制御するスイッチング素子、
前記スイッチング素子を経由する第３電源電圧を交流電圧に変換して、オゾンが発生される臨界電圧未満に前記交流電圧を昇圧した第２電源電圧を前記ランプユニットの両端間に提供するランプ駆動部、
を含むことを特徴とするバックライトアセンブリ。
【請求項２４】
前記臨界電圧は、約２４００Ｖであることを特徴とする請求項２３記載のバックライトアセンブリ。
【請求項２５】
前記蛍光ランプの管電圧は、約２０００Ｖ未満に維持されることを特徴とする請求項２３記載のバックライトアセンブリ。
【請求項２６】
外部から入力される第１電源電圧を変換して第２電源電圧に出力するランプ駆動装置、前記第２電源電圧により光を発生する発光部、前記発光部から提供される光の光学特性を変更させる光学部材を有するバックライトアセンブリと、
前記光学部材の上面に位置し、前記光学部材を通じて前記発光部から提供される光に基づいて映像をディスプレイするディスプレイアセンブリと、
を含み、前記ランプ駆動装置は、
制御信号に基づいてスイッチング信号を提供する制御部、
前記スイッチング信号に応答して第３電源電圧を交流電圧に変換し、オゾンが発生される臨界電圧未満に前記交流電圧を昇圧した第２電源電圧を前記発光部に提供するランプ駆動部を含むことを特徴とする表示装置。
【請求項２７】
前記発光部は、少なくとも一端に前記第２電源電圧が提供される外部電極を有するランプであることを特徴とする請求項２６記載の表示装置。
【請求項２８】
前記発光部は、複数個のランプで構成され、前記ランプのそれぞれは相互並列連結されたことを特徴とする請求項２７記載の表示装置。
【請求項２９】
前記各ランプは、一端が接地され、他端が隣接するランプと共通連結されることを特徴とする請求項２８記載の表示装置。
【請求項３０】
前記各ランプは、一端及び他端が隣接するランプと共通連結されることを特徴とする請求項２８記載の表示装置。
【請求項３１】
表示装置に光を提供するランプからコロナ放電が発生することを防止するために、第１臨界電圧以下の第１駆動電圧を前記ランプの第１外部電極に印加する段階と、
第２駆動電圧を前記ランプの第２外部電極に印加する段階と、
前記第１及び第２駆動電圧により前記ランプの内部の放電ガスを放電させる段階と、
前記放電により発生した非可視光線を前記ランプの内壁に形成された蛍光層を用いて可視光線に変化させて、前記表示装置に提供する段階と、
を含むことを特徴とする表示装置用ランプ駆動方法。
【請求項３２】
前記第２外部電極は接地され、前記第１臨界電圧は約１２００Ｖ未満であることを特徴とする請求項３１記載の表示装置用ランプ駆動方法。
【請求項３３】
前記コロナ放電が発生しないように、前記ランプの管電圧を第２臨界電圧未満に維持することを特徴とする請求項３２記載の表示装置用ランプ駆動方法。
【請求項３４】
前記第２臨界電圧は、約１０００Ｖ未満であることを特徴とする請求項３３記載の表示装置用ランプ駆動方法。
【請求項３５】
前記第２駆動電圧は、前記第１駆動電圧を反転させたものであり、前記第１臨界電圧は、約２４００Ｖ未満であることを特徴とする請求項３１記載の表示装置用ランプ駆動方法。
【請求項３６】
前記コロナ放電が発生しないように、前記ランプの管電圧を第２臨界電圧未満に維持することを特徴とする請求項３５記載の表示装置用ランプ駆動方法。
【請求項３７】
前記第２臨界電圧は、約２０００Ｖ未満であることを特徴とする請求項３６記載の表示装置用ランプ駆動方法。
【発明の詳細な説明】
【技術分野】
【０００１】
本発明は、ランプアセンブリ、バックライトアセンブリ及びこれを有する表示装置に関する。
【背景技術】
【０００２】
一般に、表示装置（ｄｉｓｐｌａｙ  ｄｅｖｉｃｅ）は、情報処理装置から発生した電気的信号フォーマットを有するデータを映像に変更する。
【０００３】
代表的な表示装置の１つである液晶表示装置（Ｌｉｑｕｉｄ  Ｃｒｙｓｔａｌ  Ｄｉｓｐｌａｙ  ｄｅｖｉｃｅ、ＬＣＤ）は、液晶を用いて映像を表示する。液晶表示装置から映像を表示するために、液晶表示装置は光発生モジュール及び液晶制御モジュールを含む。光発生モジュールは映像を表示するための光を発生し、液晶制御モジュールは液晶を制御して光の透過率を調節する。
【０００４】
光発生モジュールは、光を発生するために蛍光ランプである冷陰極線管ランプを含む構成とすることができる。冷陰極線管ランプは、電極の配置によって内部電極蛍光ランプ及び外部電極蛍光ランプに区分される。内部電極蛍光ランプは、放電を発生させる一対の電極がランプ本体の内部に配置され、外部電極蛍光ランプは、放電を発生させる一対の電極がランプ本体の外部に配置される。
【０００５】
最近の液晶表示装置では、スクリーンの対角線の長さが増加するにつれて、主に外部電極蛍光ランプが広く用いられている。外部電極蛍光ランプは、内部電極蛍光ランプと比較した時、並列駆動が容易であり、消費電力が低いという長所を有する。
【０００６】
しかし、外部電極蛍光ランプの場合、電極がランプ本体の外部に配置されていることから電極から大気中にコロナ放電が頻繁に発生し、これによってオゾン（ｏｚｏｎｅ）が発生する。特に、コロナ放電は電極対を損傷し、オゾンは液晶表示装置の構成部品を腐食してユーザに障害を与えるという問題点を有する。
【発明の開示】
【発明が解決しようとする課題】
【０００７】
従って、本発明は、このような従来の問題点を勘案したものであって、本発明の目的は、電極の損傷及び有害物質の発生を減少するランプアセンブリの提供にある。
【０００８】
又、本発明の他の目的は、前記ランプアセンブリを有するバックライトアセンブリを提供することにある。
【０００９】
又、本発明の他の目的は、前記バックライトアセンブリを有する表示装置を提供することにある。
【００１０】
又、本発明の他の目的は、前記表示装置に用いられるランプの駆動方法を提供することにある。
【課題を解決するための手段】
【００１１】
前記した本発明の目的を実現するための一特徴によるランプアセンブリは、放電によって発生した非可視光線を可視光線に変更するランプ本体、前記ランプ本体に配置された第１及び第２電極を含むランプ及び前記ランプ本体の内部で第１駆動電圧を前記第１電極に印加し、第２駆動電圧を前記第２電極に印加して放電を発生させるが、前記第１及び第２電極からコロナ放電が発生することを防止するために、前記第１駆動電圧は第１臨界電圧以下を有するランプ駆動装置を含む。前記第２電極は接地された場合、前記第１臨界電圧は、例えば、約１２００Ｖである。前記第２駆動電圧は、前記第１駆動電圧を反転させた場合、前記第１臨界電圧は、例えば、約２４００Ｖである。
【００１２】
又、前記した本発明の他の目的を実現するための一特徴によるバックライトアセンブリは、放電によって発生した非可視光線を可視光線に変更させるランプ本体、前記ランプ本体に配置された第１及び第２電極を含むランプアセンブリ、外部から提供される制御信号によって交流電圧の出力を制御する制御部、前記交流電圧を用いて前記第１及び第２電極の周辺にオゾンが発生することを防止するために、第１臨界電圧未満の第１駆動電圧を前記第１電極に提供し、第２駆動電圧を前記第２電極に提供するランプ駆動部を含むランプ駆動装置、及び前記ランプアセンブリから発生した光の光学特性を変更させる光学部材を含む。
【００１３】
又、前記した本発明の他の目的を実現するための他の一特徴によるバックライトアセンブリは、外部から入力される第１電源電圧を変換して第２電源電圧に出力するランプ駆動装置及び一端が接地された複数個の管外電極蛍光ランプが並列連結されたランプユニットを含み、前記第２電源電圧に応答して光を発生する発光部を含み、前記ランプ駆動装置は、制御信号に基づいてスイッチング信号を出力する制御部、前記スイッチング信号に応答して前記第１電源電圧の出力をオン／オフ制御するスイッチング素子及び前記スイッチング素子を経由する第３電源電圧を交流電圧に変換して、オゾンが発生する臨界電圧レベル未満に前記交流電圧を昇圧した第２電源電圧を前記ランプユニットに供給するランプ駆動部を含む。
【００１４】
又、前記した本発明の他の目的を実現するための他の一特徴によるバックライトアセンブリは、外部から入力される第１電源電圧を変換して第２電源電圧に出力するランプ駆動装置、及び複数個の管外電極蛍光ランプが並列連結されたランプユニットで構成され、前記第２電源電圧に応答して光を発生する発光部を含み、前記ランプ駆動装置は、制御信号に基づいてスイッチング信号を出力する制御部、前記スイッチング信号に応答して前記第１電源電圧の出力をオン／オフ制御するスイッチング素子及び前記スイッチング素子を経由する第３電源電圧を交流電源に変換して、オゾンが発生される臨界電圧未満に前記交流電圧を昇圧した第２電源電圧を前記ランプユニットの両端間に提供するランプ駆動部を含む。
【００１５】
又、前記した本発明の他の目的を実現するための表示装置は、外部から入力される第１電源電圧を変換して第２電源電圧に出力するランプ駆動部と、前記第２電源電圧により光を発生する発光部と、前記発光部から提供される光の光学特性を変更する光学部材とを有するバックライトアセンブリ及び前記光学部材の上面に位置し、前記光学部材を通じて前記発光部から提供される光に基づいて映像をディスプレイするディスプレイアセンブリを含み、前記ランプ駆動部は、制御信号に基づいてスイッチング信号を提供する制御部及び前記スイッチング信号に応答して第３電源電圧を交流電圧に変換し、オゾンが発生する臨界電圧未満に前記交流電圧を昇圧した第２電源電圧を前記発光部に提供するランプ駆動部を含む。
【００１６】
又、前記した本発明の他の目的を実現するための一特徴による表示装置用ランプ駆動方法は、表示装置に光を提供するランプからコロナ放電が発生することを防止するために、第１臨界電圧以下の第１駆動電圧を前記ランプの第１外部電極に印加する段階、第２駆動電圧を前記ランプの第２外部電極に印加する段階、前記第１及び第２駆動電圧により前記ランプの内部の放電ガスを放電させる段階及び前記放電により発生した非可視光線を前記ランプの内壁に形成された蛍光層を用いて可視光線に変化して、前記表示装置に提供する段階を含む。
【００１７】
このようなランプアセンブリ、バックライトアセンブリとこれを有する表示装置によると、放電を発生させるための放電電圧が印加される外部電極からコロナ放電が発生して、電極損傷及びコロナ放電によって電極周辺にオゾンが発生することを防止する。
【発明を実施するための最良の形態】
【００１８】
以下、添付図面を参照して、本発明の構成及び作用をより詳細に説明する。
ランプアセンブリ
図１は、本発明の第１実施例によるランプアセンブリの概念図であり、図２は、図１の蛍光ランプ両端に印加される電圧と蛍光ランプ両端に印加される電圧により図１の蛍光ランプに形成されるポテンシャル分布を示すグラフである。
【００１９】
図１に示すように、ランプアセンブリ５５は、外部電極蛍光ランプ４０及びランプ駆動装置５０を含む。
【００２０】
外部電極蛍光ランプ４０は、ランプ本体１０、第１電極２０及び第２電極３０を含む。
【００２１】
ランプ本体１０は、透明なチューブ形状を有し、ランプ本体１０は、放電ガス（図示せず）及び蛍光層（図示せず）を更に含む。放電ガスは、ランプ本体１０の内部に注入されて放電によって非可視光線（ｉｎｖｉｓｉｂｌｅ  ｒａｙ）を発生し、蛍光層はランプ本体１０の内壁に形成されて非可視光線を可視光線に変更する。
【００２２】
第１電極２０は、ランプ本体１０の第１端部に配置される。本実施例において、第１電極２０は、ランプ本体１０の外側表面に配置される。
【００２３】
第２電極３０は、ランプ本体１０の第１端部と向かい合う第２端部に配置される。本実施例において、第２電極３０はランプ本体１０の外側表面に配置される。
【００２４】
本実施例において、外部電極蛍光ランプ４０の第２電極３０は接地されており、第１電極２０には、第１及び第２電極２０、３０の間で放電を発生させる駆動電圧が印加される（グラウンド方式）。
【００２５】
この際、第１電極２０に印加された駆動電圧のレベルによって、第１電極２０では、空気中にコロナ放電が発生する可能性がある。第１電極２０からコロナ放電が発生する場合、第１電極２０の周辺にはオゾンが発生し、コロナ放電によって第１電極２０が損傷する。
【００２６】
ランプ駆動装置５０は、第１電極２０に交流駆動電圧Ｖ１を印加する。本実施例において、第１電極２０に印加された駆動電圧Ｖ１は、コロナ放電が発生しない第１臨界電圧以下の電圧レベルを有する。駆動電圧Ｖ１は、約１２００Ｖ未満の交流電圧である。例えば、駆動電圧Ｖ１は、約１２００Ｖ以下１０００Ｖ以上の交流電圧である。本実施例において、第１電極２０に印加された駆動電圧Ｖ１により蛍光ランプ４０の管電圧は、コロナ放電が発生される第２臨界電圧である約１０００Ｖ以下である。例えば、第２臨界電圧は約１０００〜９００Ｖであることが好ましい。
【００２７】
又、本実施例によるランプアセンブリは、複数個の外部電極蛍光ランプ４０が並列配置され、各外部電極蛍光ランプ４０の第１電極２０は、全て電気的に並列連結され、各外部電極蛍光ランプ４０の第２電極３０は、全て電気的に並列連結される。
【００２８】
作動側面で、第１電極２０に臨界電圧以下の駆動電圧が印加されることにより、第１電極２０から第２電極３０に向かって放電が発生する。放電によって作動ガスからは、非可視光線、例えば、紫外線等が発生し、紫外線は蛍光層により可視光線に変更される。
【００２９】
この際、第１電極２０には臨界電圧以下の駆動電圧が印加されるので、第１電極２０からはコロナ放電が発生せず、これにより第１電極２０の周辺にはオゾンが発生しない。
【００３０】
図３は、本発明の第２実施例によるランプアセンブリの概念図であり、図４は、図３の蛍光ランプ両端に印加される電圧と前記蛍光ランプ両端に印加される電圧により図３の蛍光ランプに形成されるポテンシャル分布を示すグラフである。
【００３１】
図３を参照すると、ランプアセンブリ９０は、外部電極蛍光ランプ７０及びランプ駆動装置８０を含む。
【００３２】
外部電極蛍光ランプ７０は、ランプ本体６０、第１電極６５及び第２電極６７を含む。
【００３３】
ランプ本体６０は透明なチューブ形状を有し、ランプ本体６０は放電ガス（図示せず）及び蛍光層（図示せず）を更に含む。放電ガスは、ランプ本体６０の内部に注入されて放電によって非可視光源を発生し、蛍光層はランプ本体６０の内壁に形成されて非可視光線を可視光線に変更する。
【００３４】
第１電極６５はランプ本体６０の第１端部に配置される。本実施例において、第１電極６５は、ランプ本体６０の外側表面に配置される。
【００３５】
第２電極６７は、ランプ本体６０の第１端部と向かい合う第２端部に配置される。本実施例において、第２電極６７はランプ本体６０の外側表面に配置される。
【００３６】
本実施例において、外部電極蛍光ランプ７０の第１電極６５には、交流電圧である第１駆動電圧Ｖ１′が印加され、第２電極６７には、第２駆動電圧Ｖ２が印加される。本実施例において、第２駆動電圧Ｖ２は第１駆動電圧Ｖ１′に対して、所定の位相差を有する交流電圧である。例えば、第２駆動電圧Ｖ２は第１駆動電圧Ｖ１′に対して、約１８０度（ｄｅｇｒｅｅ）の位相差を有する。即ち、図４を参照すると、第１駆動電圧Ｖ１′が最小値（ｔ１時点）である場合、第２駆動電圧Ｖ２は、最大値（ｔ１時点）であり、第１駆動電圧Ｖ１′が最大値（ｔ２時点）である場合、第２駆動電圧Ｖ２は、最小値（ｔ２時点）となる。この際、第１電極６５及び第２電極６７に印加された駆動電圧のレベルによっては、第１電極６５又は第２電極６７において、空気中にコロナ放電が発生する場合がある。第１電極６５又は第２電極６７からコロナ放電が発生する場合、第１電極６５又は第２電極６７の周辺にはオゾンが発生し、コロナ放電によって第１電極６５又は第２電極６７が損傷する。
【００３７】
ランプ駆動装置８０は、第１電極６５に第１駆動電圧、第２電極６７に第２駆動電圧を印加する（フローティング方式）。本実施例において、第１電極６５に印加された第１駆動電圧及び第２電極６７に印加された第２駆動電圧は、コロナ放電が発生しない臨界電圧以下の電圧レベルを有する。本実施例において、第１電極６５に印加された第１駆動電圧又は第２電極６７に印加された第２駆動電圧のレベルは、コロナ放電が発生する第１臨界電圧未満に設定する。例えば、第１及び第２駆動電圧により蛍光ランプ７０のガラス（ｇｌａｓｓ）に発生する蛍光ランプ７０の管電圧は、コロナ放電が発生する第２臨界電圧未満に設定する。第２臨界電圧は、約２０００〜１８００ｖとすることができる。
【００３８】
又、本実施例によるランプアセンブリ９０は、複数個の外部電極蛍光ランプ７０が並列配置され、各外部電極蛍光ランプ７０の第１電極６５は、全て電気的に並列連結され、各外部電極蛍光ランプ７０の第２電極６７は、全て電気的に並列連結される。
【００３９】
作動側面で、第１電極６５及び第２電極６７に臨界電圧以下の第１及び第２駆動電圧が印加されることにより、第１電極６５から第２電極６７、第２電極６７から第１電極６５に向かって放電が発生する。放電によって、作動ガスからは非可視光線、例えば、紫外線等が発生し、紫外線は蛍光層によって可視光線に変更される。
【００４０】
この際、第１電極６５及び第２電極６７には、臨界電圧以下の駆動電圧が印加されるので、第１電極６５及び第２電極６７からはコロナ放電が発生せず、これによって第１電極６５及び第２電極６７の周辺にはオゾンが発生しない。１２個の外部電極蛍光ランプが並列に配置されたランプアセンブリをフローティング方式で、蛍光ランプの管電圧が２０００Ｖで８時間駆動して実験した結果、蛍光ランプの電極が損傷し、激しいオゾン臭が発生した。しかし、管電圧１８００ｖでは、２４時間駆動しても蛍光ランプの電極が損傷されず、酷いオゾン匂いが発生しなかった。
【００４１】
以上で説明した本発明の実施例によると、複数個のＥＥＦＬやＥＩＦＬを並列連結して蛍光ランプをグラウンド方式で駆動する時、約１２００Ｖ未満の交流電源を蛍光ランプの両端間に提供して、蛍光ランプ内側ガラス間の管電圧を１０００Ｖ未満に印加することにより、環境安全規格で許容するオゾン濃度以下にオゾン発生を抑制することができ、蛍光ランプの輝度レベルを調整することができる。
【００４２】
以上で説明した本発明の実施例によると、複数個のＥＥＦＬやＥＩＦＬを並列連結して、蛍光ランプをフローティング方式で駆動する時、約２４００Ｖ未満の交流電源を蛍光ランプの両端間に提供して、蛍光ランプ内側ガラス間の管電圧を２０００Ｖ未満に印加することにより、オゾン発生を抑制することができ、蛍光ランプの輝度レベルを調整することができる。
【００４３】
以上では、ＥＥＦＬを並列連結して駆動することを説明したが、ＥＩＦＬでも代替が可能であり、ＥＩＦＬとＥＥＦＬを１つの駆動回路内に混在して用いることもできる。又、ＥＩＦＬの並列連結の時、管外電極同士に、内部電極は内部電極まで連結することもでき、これを混在して連結することもできる。
バックライトアセンブリ
図５は、板発明の一実施例によるバックライトアセンブリを説明するための分解斜視図である。
【００４４】
図５を参照すると、バックライトアセンブリ９２０は、ランプアセンブリ９２１、反射板９２３、光学部材９２２及びボトムシャーシ９２５を含む。
【００４５】
光学部材９２２は、拡散板９２２ａ、拡散板９２２ａの上部に順次に配置される拡散シート９２２ｂ、ロープリズムシート９２２ｃ、アッパープリズムシート９２２ｄ及び保護シート９２２ｅを更に含む。ここで、光学部材９２２は、ロープリズムシート９２２ｃ及びアッパープリズムシート９２２ｄを２個用いることもでき、１個のプリズムシートとすること可能である。
【００４６】
ボトムシャーシ９２５は、長方形プレート形状を有する底面９２５ａ及び底面９２５ａのエッジから収納空間を形成するために延長された複数個の側壁９２５ｂで構成される。
【００４７】
ボトムシャーシ９２５の底面９２５ａには、反射板９２３が配置される。反射板９２３は、光反射率が高い金属等を含むことが好ましい。
【００４８】
ランプアセンブリ９２１は、反射板９２３の上面に配置される。
【００４９】
一方、バックライトアセンブリ９２０は、第１光を発生するランプアセンブリ９２１、ランプアセンブリ９２１から発生された第１光を反射させるための反射板９２３、第１光を拡散させて均一な輝度分布を有する第２光を出射させるための光学部材９２２、ランプアセンブリ９２１及び反射板９２３を収納するためのボトムシャーシ９２５を含む。
【００５０】
ここで、ランプアセンブリ９２１は、多数のランプ９２１ａ、ランプ９２１ａの両端に締結されて電源電圧を供給する第１及び第２ランプクリップ９２１ｂ、９２１ｃ、第１及び第２ランプクリップ９２１ｂ、９２１ｃのそれぞれに電源電圧を供給する第１及び第２電源供給ライン９２１ｄ、９２１ｅで構成される。この際、第１及び第２電源供給ライン９２１ｄ、９２１ｅは、第１及び第２電源電圧を発生するランプ駆動装置１００にそれぞれ連結される。
【００５１】
ランプアセンブリ９２１は、ランプ本体９２１ａの表面に第１電極及び第２電極が配置された外部電極蛍光ランプ及びランプ駆動装置を含む。
【００５２】
バックライトアセンブリは、モールドフレーム（ｍｏｌｄ  ｆｒａｍｅ：図示せず）を更に含むことができる。前記モールドフレームは、前記ランプ９２１ａの外部電極を覆うように、前記ランプの外部電極上に位置する。
【００５３】
図６は、本発明の一実施例によるバックライトアセンブリのランプ駆動装置を示す概念図である。
【００５４】
図６に示すように、ランプ駆動装置１００は、パワートランジスタＱ１、ダイオードＤ１、ランプ駆動部１２０、デジタル−アナログ変換機（以下、ＤＡＣ）１３０、パルス幅変調制御部（以下、ＰＷＭ制御部）１４０、パワートランジスタ駆動部１５０を含む。ランプ駆動装置１００は、外部から提供される直流電源を２０００Ｖ未満の交流電源に変換して、ランプアセンブリ１１０の外部電極蛍光ランプにそれぞれ提供する。本実施例において、ランプ駆動装置１００は、ランプチューブの両側が外部電極を有する外部電極蛍光ランプに適用されたが、これと異なり、ランプ駆動装置１００は、ランプチューブの一側に外部電極が配置され、他側に内部電極を有する外部電極蛍光ランプにも適用が可能である。これと異なり、ランプの一側や両側にバラストキャパシタ（ｂａｌｌａｓｔ  ｃａｐａｃｏｔｏｒ）を介在することもできる。
【００５５】
パワートランジスタＱ１は、ソース電極Ｓに印加された直流電源がゲート電極Ｇを通じて入力されたスイッチング信号１５１によりドレーン電極Ｄを通じてランプ駆動部１２０に出力されるようにする。
【００５６】
勿論、パワートランジスタＱ１のドレーン電極を通じてランプ駆動部１２０に出力される信号は、０Ｖと所定の直流電圧レベルとの間をスイングするパルス電圧である。
【００５７】
ダイオードＤ１は、カソードがパワートランジスタＱ１のドレーン電極Ｄに連結され、アノードが接地されてランプ駆動部１２０から逆流する突入電流を遮断する。
【００５８】
ランプ駆動部１２０は、インダクタＬ、変圧器１２２、共振キャパシタＣ１、第１及び第２抵抗Ｒ１、Ｒ２、第１及び第２トランジスタＱ２、Ｑ３を含む。ランプ駆動部１２０は、パワートランジスタＱ１のドレーン電極Ｄに連結されて、パワートランジスタＱ１から出力されるパルス電圧を交流電源に変換する。変換された交流電源は、ランプアセンブリ１１０に含まれた複数のランプにそれぞれ供給される。本発明の実施例でランプ駆動部１２０は、共振型ロイヤー（Ｒｏｙｅｒ）インバータ回路である。
【００５９】
より詳細には、ランプ駆動部１２０のインダクタＬは、パワートランジスタＱ１のドレーン電極Ｄに連結される。インダクタＬは、直流電源に含まれたインパルス成分を除去する。ここで、インダクタＬは、エネルギーを充電して、パワートランジスタＱ１のオフ期間において、ダイオードＤ１に逆起電力を生成しながら平均化させる一種のスイッチングレギュレーティング（ｓｗｉｔｃｈｉｎｇ  ｒｅｇｕｌａｔｉｎｇ）動作を行う。
【００６０】
変圧器１２２は、１次巻線を構成する第１及び第２巻線Ｔ１、Ｔ２と、２次巻線を構成する第３巻線Ｔ３を有する。インダクタＬを通じて第１巻線Ｔ１に入力されたパルス電圧は、電子誘導作用によって２次側巻線である第３巻線Ｔ３に伝達され、この過程で約２４００Ｖ未満の高電圧に変換される。２４００Ｖ未満の高電圧は、ランプアセンブリ９１０のランプに印加される。ここで、第１巻線Ｔ１は、中間タップを通じてインダクタＬからパルス電圧の提供を受ける。この際、第３巻線Ｔ３で２４００Ｖ未満の高電圧を出力するために、１次側巻線である第１巻線Ｔ１と２次側巻線である第３巻線Ｔ３間の巻線比を調節される。２４００Ｖ未満の高電圧は、ランプアセンブリ１１０に含まれた多数の外部電極蛍光ランプのランプ本体に配置された電極に印加される電圧が約２０００Ｖ未満になるようにする。この際、約４００Ｖの電圧は、変圧器と外部電極蛍光ランプを連結するワイヤーによる電圧降下と、外部電極蛍光ランプに含まれたプラズマガスによる電圧降下によって損失される。勿論、ワイヤーによる電圧降下又はプラズマガスによる電圧降下が少ないと、変圧器１２２から出力される電圧は２４００Ｖよりは小さくし、ワイヤー又はプラズマガスによる電圧降下が大きいと、変圧器１２２から出力される電圧は、２４００Ｖよりは大きくする。
【００６１】
又、第２巻線Ｔ２は、第１巻線Ｔ１に印加されるパルス電圧に応答して第１トランジスタＱ２と第２トランジスタＱ３のうち、いずれか１つを選択的にターンオンさせる。
【００６２】
共振キャパシタＣ１は、第１巻線Ｔ１の両端に連結されて第１巻線Ｔ１のインダクタンス成分とＬＣ共振回路を構成する。ここで、変圧器１２２の入力端に連結された第２巻線Ｔ２は、第１トランジスタＱ２と第２トランジスタＱ３のうち、いずれか一つを選択的にターンオンさせる役割を果たす。
【００６３】
第１トランジスタＱ２のベースＢ１は、第１抵抗を通じてパルス電圧の入力を受け、コレクタＣＴ１は、共振キャパシタＣ１と１次側巻線Ｔ１が並列連結された一端に連結され変圧器１２２を駆動する。第２トランジスタＱ３のベースＢ２は、第２抵抗Ｒ２を通じて入力されるパルス電圧に連結され、コレクタＣＴ２は、共振キャパシタＣ１と１次側巻線Ｔ１が並列連結された他端に連結され変圧器１２２を駆動し、エミッターＥ２は第１トランジスタＱ２のエミッターＥ１と共通接地される。
【００６４】
ＤＡＣ１３０は外部から提供されるディミング信号ＤＩＭＭをアナログ変換し、アナログ変換されたディミング信号１３１は、ＰＷＭ制御部１４０に出力される。ここで、ディミング信号はランプの明るさを調節するために、ユーザの操作等により入力された信号として、一定デューティＤＵＴＹ値を有するデジタル値である。
【００６５】
ＰＷＭ制御部１４０は、オン／オフコントローラ１４２を含み、ＰＷＭ制御部１４０は、外部電極蛍光ランプのそれぞれに供給する交流電源レベルを調整するためのスイッチング信号１４３を発生させる。スイッチング信号１４３は、外部から提供されるオン／オフ信号ＯＮ／ＯＦＦ及びアナログ変換されたディミング信号１３１に応答して、ＰＷＭ制御部１４０から発生される。スイッチング信号１４３は、パワートランジスタＱ１に提供される。ここで、ＰＷＭ制御部１４０は、オシレータ（図示せず）を更に具備し、発振機能を具備しないＯＮ／ＯＦＦコントローラ１４２に一定発振信号を提供することもできる。
【００６６】
パワートランジスタ駆動部１５０は、ＰＷＭ制御部１４０から提供される交流電源のレベルを調整するためのスイッチング信号１４３を増幅し、増幅されたレベル調整信号１５１をパワートランジスタＱ１に提供する。例えば、スイッチング信号１４３のレベルが低い場合、低いレベルのスイッチング信号１４３は、パワートランジスタ駆動部１５０を通じて増幅された後、パワートランジスタに入力される。
【００６７】
以下、低いレベルの交流電源を高いレベルの交流電源に変換するランプ駆動部１２０の構成について、より具体的に説明する。
【００６８】
パワートランジスタＱ１により変換されたパルス電圧は、パワートランジスタＱ１に駆動電流を供給するための抵抗Ｒ１を経由して、ランプ駆動部１２０の入力側であるトランジスタＱ２のベースＢ１に印加される。１次巻線Ｔ１は、それぞれのエミッターＥ１、Ｅ２が接地されている一対のトランジスタＱ２、Ｑ３のコレクタＣＴ１、ＣＴ２に並列で連結され、キャパシタＣ１は、１次巻線Ｔ１に電気的に連結される。
【００６９】
又、パルス電圧はランプ駆動部１２０に供給される電流を定電流に変換するためのチョークコイル（ｃｈｏｋｅ  ｃｏｉｌ）を含んだインダクタＬを経由して変圧器１２２の１次巻線Ｔ１の中間タップに連結される。
【００７０】
変圧器１２２の第３巻線Ｔ３の巻線数は、１次巻線Ｔ１の巻線数より多いので、電圧を昇圧する。ランプアセンブリ１１０に具備される複数のランプは、変圧器１２２の第３巻線Ｔ３と並列に連結され、それぞれの外部電極蛍光ランプに交流電圧を供給する。ここで、前記交流電圧は、昇圧された交流電圧の正極性と負極性レベルが同じ電圧でもあり、昇圧された交流電圧の最高値レベルと最低値レベル間の間隔が一定でもあり得る。
【００７１】
変圧器１２２に含まれた第２巻線Ｔ２の一端は、第１トランジスタＱ２のベースＢ１と連結され、他端は第２トランジスタＱ３のベースＢ２と連結される。従って、第２巻線Ｔ２側で励起された電圧は、第１及び第２トランジスタＱ２、Ｑ３のベースにそれぞれ印加される。
【００７２】
以下、本発明の実施例によるランプ駆動部の動作を説明する。
【００７３】
まず、パルスに変換された直流電源、即ち、パルス電源が印加されると、インダクタＬを通じて変圧器１２２の１次巻線Ｔ１に電流が流れ、これと同時に、パルス電圧が第１抵抗Ｒ１を経由して第１トランジスタＱ２のベースＢ１に印加される。又、パルス電圧は、第２抵抗Ｒ２を経由して第２トランジスタＱ３のベースにも共に印加される。この際、変圧器１２２を構成する第１巻線Ｔ１のリアクタンスと共振キャパシタＣ１により共振が行われる。従って、変圧器１２２の２次側巻線、即ち、第３巻線Ｔ３の両端子間には、変圧器１２２の第１巻線Ｔ１対第３巻線Ｔ３の巻線比（ＴＵＲＮ  ＲＡＴＩＯ）だけ昇圧された電圧が発生される。同時に、変圧器１２２を構成する第２巻線Ｔ２には、第１巻線Ｔ１の電流の流れ方向とは反対方向に電流が流れる。
【００７４】
以後、変圧器１２２の第１巻線Ｔ１対第３巻線Ｔ３の巻線比だけ電圧が高くなり、変圧器１２２の第３巻線Ｔ３から周波数及び位相が同期する高圧波形が発生し、その結果、ランプアセンブリ１１０でのフリッカーは除去される。
【００７５】
図７は、本発明の他の実施例によるバックライトアセンブリのランプ駆動装置を説明するための概念図である。本発明の一実施例によるランプ駆動装置は、前述した実施例の電極の構造を除くと、前述した実施例のランプ駆動装置と同じである。従って、同じ部材に対しては、前述した実施例と同じ参照番号を付与して、その重複説明は省略する。
【００７６】
本実施例でランプ駆動部２２０に設けられる変圧器２２２の２次側巻線である第３巻線Ｔ３の一端は接地され、ランプアセンブリ２１０に設けられる複数の外部電極蛍光ランプのそれぞれの第１電極は、共通連結及びランプ駆動部２２０から昇圧された交流電圧の提供を受ける。この際、第１電極には、第１電極からコロナ放電及びコロナ放電によるオゾンが発生しないように、臨界電圧以下の駆動電圧が印加される。
【００７７】
以上で説明した本発明の他の実施例によると、複数個のＥＥＦＬやＥＩＦＬを並列連結して外部電極蛍光ランプを駆動する時、外部から提供されるディミング信号に応答して、直流電源の供給を制御して約１２００Ｖ未満の交流電圧を外部電極蛍光ランプの一端に提供して、外部電極蛍光ランプ本体内部の管電圧を１０００Ｖ未満に印加することにより、オゾンの発生を抑制及び外部電極蛍光ランプの輝度レベルを調整することができる。
【００７８】
勿論、１２００Ｖ未満の高電圧は、ランプアセンブリ４１０に設けられる多数の蛍光ランプのランプ本体の内部での管電圧が約１０００Ｖ未満を維持するように設定された電圧である。差電圧である２００Ｖの電圧レベルは、変圧器２２２と蛍光ランプを連結するワイヤーにより損失される電圧と、蛍光ランプに具備されるプラズマガスにより損失される電圧を勘案した値である。ワイヤーによる損失やプラズマガスによる損失が少ないと、変圧器２２２から出力される電圧は１２００Ｖよりは小さくし、損失が大きいと、変圧器２２２から出力される電圧は１２００Ｖは大きくする。
*表示装置
図８は、本発明による表示装置を示す分解斜視図である。図８を参照すると、本発明による液晶表示装置９００は、映像を表示するための表示パネルアセンブリ９１０及び表示パネルアセンブリ９１０に光を提供するバックライトアセンブリ９２０を含む。
【００７９】
表示パネルアセンブリ９１０は、薄膜トランジスタ（Ｔｈｉｎ  Ｆｉｌｍ  Ｔｒａｎｓｉｓｔｏｒ；以下、ＴＦＴ）基板９１１ａとカラーフィルター基板９１１ｂ及びＴＦＴ基板９１１ａとカラーフィルター基板９１１ｂとの間に注入された液晶層（図示せず）を含む。又、表示パネルアセンブリ９１０は、データ印刷回路基板９１５、ゲート印刷回路基板９１４、データ側テープキャリヤパッケージ（Ｔａｐｅ  Ｃａｒｒｉｅｒ  Ｐａｃｋａｇｅ；以下、ＴＣＰ）９１３及びゲート側ＴＣＰ９１２を更に含む。
【００８０】
一方、バックライトアセンブリ９２０は、第１光を発生するランプアセンブリ９２１、ランプアセンブリ９２１から発生された第１光を反射させるための反射板９２３、第１光を拡散させて均一な輝度分布を有する第２光を出射させるための光学部材９２２、ランプアセンブリ９２１及び反射板９２３を収納するためのボトムシャーシ９２５を含む。
【００８１】
ここで、光学部材９２２は、拡散板９２２ａ、拡散板９２２ａの上部に順次に配置される拡散シート９２２ｂ、ロープリズムシート９２２ｃ、アッパープリズムシート９２２ｄ及び保護シート９２２ｅを更に含む。ここで、光学部材９２２は、ロープリズムシート９２２ｃ及びアッパープリズムシート９２２ｄを２個用いることもでき、１個のプリズムシートで構成することも可能である。
【００８２】
ボトムシャーシ９２５は、底面９２５ａ及び側壁９２５ｂを含む。底面９２５ａは長方形プレート形状を有し、側壁９２５ｂが底面９２５ａから収納空間を形成するために立設されている。
【００８３】
従って、ボトムシャーシ９２５の内部には所定深さの収納空間が形成され、底面９２５ａには反射板９２３が配置され、反射板９２３の上部にはランプアセンブリ９２１が配置される。又、ボトムシャーシ９２５には、ランプアセンブリ９２１と所定の間隔に離隔して光学部材９２２が取り付けられる。
【００８４】
ここで、ランプアセンブリ９２１は、多数のランプ９２１ａ、ランプ９２１ａの両端に締結され電源電圧を供給する第１及び第２ランプクリップ９２１ｂ、９２１ｃ、第１及び第２ランプクリップ９２１ｂ、９２１ｃのそれぞれに電源電圧を供給する第１及び第２電源供給ライン９２１ｄ、９２１ｅで構成される。この際、第１及び第２電電供給ライン９２１ｄ、９２１ｅは、第１及び第２電源電圧を発生するランプ駆動装置１００にそれぞれ連結される。
【００８５】
バックライトアセンブリは、モールドフレーム（ｍｏｌｄ  ｆｒａｍｅ；図示せず）を更に含むことができる。モールドフレームは、ランプ９２１ａの外部電極を覆うようにランプの外部電極上に位置する。
【００８６】
ここで、光学部材９２２は、拡散板９２２ａ、拡散板９２２ａの上部に順次に配置される拡散シート９２２ｂ、ロープリズムシート９２２ｃ、アッパープリズムシート９２２ｄ、及び保護シート９２２ｅを更に含む。ここで、光学部材９２２は、ロープリズムシート９２２ｃ及びアッパープリズムシート９２２ｄを２個用いることもでき、１個のプリズムシートを含むこともできる。
【００８７】
ボトムシャーシ９２５は、底面９２５ａ及び側壁９２５ｂを含む。底面９２５ａは長方形プレート形状を有し、側壁９２５ｂが底面９２５ａから収納空間を形成するために立設されている。
【００８８】
従って、ボトムシャーシ９２５の内部には、所定深さの収納空間が形成され、底面９２５ａには反射板９２３が配置され、反射板９２３の上部にはランプアセンブリ９２１が配置される。又、ボトムシャーシ９２５には、ランプアセンブリ９２１と所定の間隔に離隔して光学部材９２２が取り付けられる。
【００８９】
ここで、ランプアセンブリ９２１は、多数のランプ９２１ａ、ランプ９２１ａの両端に締結され電源電圧を供給する第１及び第２ランプクリップ９２１ｂ、９２１ｃ、第１及び第２ランプクリップ９２１ｂ、９２１ｃのそれぞれに電源電圧を供給する第１及び第２電源供給ライン９２１ｄ、９２１ｅで構成される。この際、第１及び第２電源供給ライン９２１ｄ、９２１ｅは、第１及び第２電源電圧を発生するランプ駆動装置１００にそれぞれ連結される。
【００９０】
ランプ駆動装置１００は、図４及び図５に示すように、ランプ両端に電源電圧を印加する。これと異なり、ランプ駆動装置１００は、いずれか１つの電極を接地し、残りの１つの電極に電源電圧を印加することができる。
【００９１】
一方、光学部材９２２の上部には、例えば、ミドルシャーシ９３０が配置され、ミドルシャーシ９３０には表示パネル９１１が配置される。
【００９２】
液晶パネル９１１上にボトムシャーシ９２５と対向して結合するトップシャーシ９４０が提供される。
【産業上の利用可能性】
【００９３】
以上で説明したように、本発明によると、複数個の外部電極蛍光ランプの両端に電源を提供するフローティング方式で複数個の外部電極蛍光ランプを駆動する時、外部電極蛍光ランプのランプ本体の内部両側で約２０００Ｖ未満の管電圧が印加されるように、蛍光ランプの両端に駆動電圧を提供することにより、表示装置からオゾンの発生を抑制し、外部電極蛍光ランプの輝度レベルを調整することができる。
【００９４】
又、複数個の外部電極蛍光ランプのいずれか１つの電極を接地し、残りの１つの電極に駆動電源を印加するグラウンド方式で複数個の外部電極蛍光ランプを駆動する時、外部電極蛍光ランプの管電圧を１０００ｖ未満に維持することにより、オゾンの発生を抑制して外部電極蛍光ランプの輝度レベルを調整することができる。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９６】
【図１】本発明の第１実施例によるランプアセンブリの概念図である。
【図２】図１の蛍光ランプ両端に印加される電圧と前記蛍光ランプ両端に印加される電圧により図１の蛍光ランプに形成されるポテンシャル分布を示すグラフである。
【図３】本発明の第２実施例によるランプアセンブリの概念図である。
【図４】図３の蛍光ランプ両端に印加される電圧と前記蛍光ランプ両端に印加される電圧により図３の蛍光ランプに形成されるポテンシャル分布を示すグラフである。
【図５】本発明の第３実施例によるバックライトアセンブリを説明するための分解斜視図である。
【図６】本発明の一実施例によるバックライトアセンブリのランプ駆動装置を示す概念図である。
【図７】本発明の他の実施例によるバックライトアセンブリのランプ駆動装置を説明するための概念図である。
【図８】本発明のよる表示装置を示す分解斜視図である。
【符号の説明】
【００９７】
１０、６０    ランプ本体
２０、６５    第１電極
３０、６７    第２電極
４０、７０    外部電極蛍光ランプ
５０、８０    ランプ駆動装置
５５、９０、９２１    ランプアセンブリ
９２０    バックライトアセンブリ
９２２    光学部材
９２２ａ    拡散板
９２２ｂ    拡散シート
９２２ｃ    ロープリズムシート
９２２ｄ    アッパープリズムシート
９２２ｅ    保護シート
９２３    反射板
９２５    ボトムシャーシ
９２５ａ    底面
９２５ｂ    側壁
【図１】
2005056853.tif 000003
【図２】
2005056853.tif 000004
【図３】
2005056853.tif 000005
【図４】
2005056853.tif 000006
【図５】
2005056853.tif 000007
【図６】
2005056853.tif 000008
【図７】
2005056853.tif 000009
【図８】
2005056853.tif 000010